(57)【要約】【課題】遊技盤と変動表示装置を別構成にした遊技機において、遊技盤の表面に植設される障害釘などの調整や、入賞領域の配置などが制限されないようにする。【解決手段】遊技盤１を前面枠１２０に対して着脱可能に配設するとともに、表示ユニット１７０を前面枠１２０における遊技盤１の裏面側に配設し、遊技盤１を交換した際に新たな遊技盤１の表示用窓部１２に対応した画像表示に変更可能として、表示ユニット１７０を再利用可能とする。また、このように表示ユニット１７０と遊技盤１を別構成として表示ユニット１７０を容易に取り外せるようにし、遊技機全体を交換する場合でも表示ユニット１７０を再利用可能とする。さらに、木製の遊技盤１を使用することで、障害釘の保持力や、調整の問題が発生しないようにするとともに、入賞領域を所望の位置に形成できるようにし、多種多様な遊技盤１に交換できるようにする。【選択図】図５
2006187459.tif 000002
【特許請求の範囲】
【請求項１】
遊技領域を形成する遊技盤を前面枠に対して着脱可能に配設し、該遊技盤の表示用窓部において遊技に関わる表示ゲームを表示するようにした遊技機において、
前記遊技盤は、障害釘が植設される木製の遊技盤本体と、該遊技盤本体に形成された表示用開口部に対応して取り付けられて前記表示用窓部を区画形成する前面構成部材と、を含み、
前記表示ゲームを表示する表示ユニットを前記前面枠における前記遊技盤の裏面側に配設し、
前記表示ユニットは、画像表示面の面積が少なくとも前記表示用窓部よりも広くなるように構成して、前記遊技盤を交換した際に、新たな遊技盤の表示用窓部に対応した画像表示に変更可能としたことを特徴とする遊技機。
【請求項２】
前記前面枠における前記遊技盤の後方側に、前記表示ユニットを配設するための裏面構成部材を設け、
前記裏面構成部材は、前記表示ユニットを前記遊技盤裏面から後方側に離隔した位置に配設可能に構成したことを特徴とする請求項１に記載の遊技機。
【請求項３】
前記裏面構成部材は、遊技球の排出を行う排出装置と、排出する遊技球を一時貯留する貯留タンクとを配設したことを特徴とする請求項２に記載の遊技機。
【請求項４】
前記前面枠における前記遊技盤の後方側に、前記表示ユニットを配設するための裏面構成部材を設け、
前記裏面構成部材は、前記遊技盤を装着した際に、当該遊技盤の後方側所定部位が臨む開口部を形成し、
前記表示ユニットを制御する制御回路を、機種に依存する第１制御回路と、複数の機種で共通使用可能な第２制御回路とに分離構成し、
前記第１制御回路を前記遊技盤裏面側における前記開口部に臨む部位に配設する一方、前記第２制御回路を前記裏面構成部材における該開口部の縁部に配設することで、前記遊技盤を前面枠に装着した際に、第１制御回路と第２制御回路を直接接続可能に構成したことを特徴とする請求項１から請求項３の何れか一項に記載の遊技機。
【請求項５】
前記表示ユニットは、前記表示用窓部とは離隔した領域において表示ゲームとは異なる前記遊技盤前面での表示を行うことを特徴とする請求項１から請求項４の何れか一項に記載の遊技機。
【請求項６】
前記表示ユニットは、前後に移動可能であって前方側に付勢された状態で前記前面枠側に配設されるとともに、前記遊技盤を前面枠に装着した際に前記前面構成部材の後端部と当該表示ユニットの表面が当接可能に設けられ、
前記前面構成部材の後端部は、前記遊技領域面とは非平行状態で何れか一方側に傾斜して形成されて、前記遊技盤を前面枠に装着した際に、前記表示ユニットが該前面構成部材の後端部に対応して傾斜した状態に変更することを特徴とする請求項１から請求項５のいずれか一項に記載の遊技機。
【発明の詳細な説明】
【技術分野】
【０００１】
本発明は、遊技領域を形成する遊技盤を前面枠に対して着脱可能に配設し、該遊技盤の表示用窓部において遊技に関わる表示ゲームを表示するようにした遊技機に関する。
【背景技術】
【０００２】
従来、遊技領域を形成する遊技盤を本体枠（前面枠）に着脱自在に装着するようにした遊技機が知られている。遊技盤には複数の識別情報を変動表示可能な変動表示装置が備えられ各機種固有の画像を表示し、また、遊技盤には各機種固有の装飾部材やセル板が設けられている。最近では、前記変動表示装置として液晶表示装置等を設けることが増えている。そして、遊技機の機種を変更する際には、遊技機全体を交換せずに、遊技盤のみを交換することも可能であるが、従来の遊技機の場合には、遊技盤に変動表示装置が取り付けられていることから、遊技盤の交換の際には比較的高価な変動表示装置も交換することとなっている。
【０００３】
また、変動表示装置を本体枠側に配設して遊技盤と変動表示装置（液晶表示器）を別構成にすることで、遊技盤を交換する際でも、変動表示装置をそのまま本体枠側に残せるようにした遊技機も考えられている（例えば、特許文献１参照）。
【特許文献１】特開２００３−３２００９４号公報
【発明の開示】
【発明が解決しようとする課題】
【０００４】
しかしながら、従来の遊技機においては、遊技盤の裏面の本体枠側に変動表示装置を配置するようにしているが、該変動表示装置の画像を表示するために、遊技盤を透明な合成樹脂で成型して、画像を透かして見えるように構成していたため、以下のような課題が生じていた。
遊技盤を合成樹脂で形成した場合に、植設されている障害釘や風車等の保持力が低下して、脱落する可能性がある。また、障害釘を調整することも困難であり、調整によりさらに保持力が低下してしまう。
入賞口を形成した場合に、裏面側の流路が透けて見えてしまい装飾効果が低下してしまう。そこで、先行技術のようにゲートタイプにすることも考えられるが、ゲートタイプでは、検出機構が複雑で大掛かりなものになってしまうし、ゲートタイプは通過した遊技球が再び遊技領域を流下する構成であるので、すべての入賞領域をゲートタイプにしてしまうと、あまり多くの入賞領域を備えることができない等、遊技内容を規制してしまう。
【０００５】
本発明の課題は、遊技盤と変動表示装置を別構成にした遊技機において、遊技盤の表面に植設される障害釘などの調整や、入賞領域の配置などが制限されないようにすることである。
【課題を解決するための手段】
【０００６】
以上の課題を解決するため、請求項１に記載の発明は、遊技領域を形成する遊技盤を前面枠に対して着脱可能に配設し、該遊技盤の表示用窓部において遊技に関わる表示ゲームを表示するようにした遊技機において、
前記遊技盤は、障害釘が植設される木製の遊技盤本体と、該遊技盤本体に形成された表示用開口部に対応して取り付けられて前記表示用窓部を区画形成する前面構成部材と、を含み、
前記表示ゲームを表示する表示ユニットを前記前面枠における前記遊技盤の裏面側に配設し、
前記表示ユニットは、画像表示面の面積が少なくとも前記表示用窓部よりも広くなるように構成して、前記遊技盤を交換した際に、新たな遊技盤の表示用窓部に対応した画像表示に変更可能としたことを特徴とする。
【０００７】
ここで、「遊技領域」とは、遊技盤の表面に形成されて遊技球が流下する領域のことである。
また、「画像表示面の面積が少なくとも前記表示用窓部よりも広くなるように」とは、例えば、「画像表示面が遊技盤とほぼ同等の面積となるように」や、「画像表示面が遊技盤における障害釘が植設される部位に延在するように」、または、「面積が異なる表示用窓部に対応した画像表示面」などと言い換えることができ、つまりは、画像表示面は表示用窓部の大きさが変化しても、それに対応できる大きさに設定されているということである。
【０００８】
このように、遊技盤を前面枠に対して着脱可能に配設するとともに、表示ユニットを前面枠における遊技盤の裏面側に配設し、遊技盤を交換した際に新たな遊技盤の表示用窓部に対応した画像表示に変更可能としたことで、遊技盤を交換する場合でも、表示ユニットは交換する必要がないので、表示ユニットを新たな遊技盤でも使用できるといった効果を奏する。
また、遊技機の入れ替え時に遊技機全体を交換する場合でも、表示ユニットは遊技盤と別構成であって、表示ユニットを簡単に取り外せることから、表示ユニットを再利用する際にも効果的である。
また、表示ユニットの画像表示面の範囲内であれば、各種の面積を有する表示用窓部を形成した遊技盤を入れ替えることが可能であり、新たな遊技盤の表示用窓部に応じた表示を行うことが可能である。
【０００９】
また、遊技盤本体は木製であるので、障害釘の保持力も十分であるし障害釘の調整に関してもなんら問題ない。さらに、裏面側の流路が透けて見えてしまい装飾効果が低下してしまうこともない。
また、入賞口も所望の位置に形成することができ、多種多彩な遊技盤を交換することが可能となる。
【００１０】
請求項２に記載の発明は、請求項１に記載の遊技機であって、前記前面枠における前記遊技盤の後方側に、前記表示ユニットを配設するための裏面構成部材を設け、
前記裏面構成部材は、前記表示ユニットを前記遊技盤裏面から後方側に離隔した位置に配設可能に構成したことを特徴とする。
【００１１】
ここで、「表示ユニットを配設するための裏面構成部材」は、例えば、表示ユニットを収納可能な前方開口（凹室形状）の収納部を有し、該収納部は所定寸法の奥行きを有し、表示ユニットを遊技盤裏面から後方側に離隔して配設可能な構成となっている。
【００１２】
このように、前面枠における遊技盤の後方側に、表示ユニットを配設するための裏面構成部材を設け、裏面構成部材は、表示ユニットを遊技盤裏面から後方側に離隔した位置に配設したので、遊技盤の裏面に後方側へ突出した部材が形成されていても何ら問題なく遊技盤を装着できる。
特に、前面構成部材は、表示領域前面側に奥行きを形成したり、ステージを形成したり、或いは、ワープ装置を備えたりするので、比較的大きく後方側に突出することとなるが、このような形状でも何ら問題なく遊技盤を装着することができる。
そして、このような前面構成部材を有する遊技盤を装着可能なことで、入賞口も所望の位置に形成することができ、多種多彩な遊技盤を交換することが可能となる。
【００１３】
請求項３に記載の発明は、請求項２に記載の遊技機であって、前記裏面構成部材は、遊技球の排出を行う排出装置と、排出する遊技球を一時貯留する貯留タンクとを配設したことを特徴とする。
【００１４】
このように、裏面構成部材には、遊技球の排出を行う排出装置と、排出する遊技球を一時貯留する貯留タンクとが配設されているので、各種裏機構体を効率よく遊技機の裏面側に配設することが可能となる。また、表示ユニットと共に共通的に使用できる機構体を裏面構成部材でユニットとして構成でき、遊技機の組み立て作業を簡略化することができるとともに生産性を向上することができる。
【００１５】
請求項４に記載の発明は、請求項１から請求項３の何れか一項に記載の遊技機であって、前記前面枠における前記遊技盤の後方側に、前記表示ユニットを配設するための裏面構成部材を設け、
前記裏面構成部材は、前記遊技盤を装着した際に、当該遊技盤の後方側所定部位が臨む開口部を形成し、
前記表示ユニットを制御する制御回路を、機種に依存する第１制御回路と、複数の機種で共通使用可能な第２制御回路とに分離構成し、
前記第１制御回路を前記遊技盤裏面側における前記開口部に臨む部位に配設する一方、前記第２制御回路を前記裏面構成部材における該開口部の縁部に配設することで、前記遊技盤を前面枠に装着した際に、第１制御回路と第２制御回路を直接接続可能に構成したことを特徴とする。
【００１６】
「遊技盤の後方側所定部位が臨む開口部」は、裏面構成部材の下辺部の一部を切り取った切欠き状でも良いし、遊技盤の後方側所定部位を挿入できるような孔であっても良い。
また、「第１制御回路と第２制御回路を直接接続可能」とは、例えば、配線を介さずに両制御回路に設けられたコネクタ同士を接続できることである。
【００１７】
このように、機種に依存する第１制御回路を遊技盤裏面側における開口部に臨む部位に配設し、共通使用可能な第２制御回路を裏面構成部材における開口部の縁部に配設したことで、遊技盤の交換時に、共通に使用できる制御回路を残して再使用でき、無駄を省くことが可能となる。
また、第１制御回路と第２制御回路を直接接続可能に構成したことで、遊技盤装着時に、第１制御回路と第２制御回路との電気的な接続を簡略化することができ、その接続作業も容易となる。また、配線を省略できるので、遊技機の裏面側での配線処理が不要となる。
【００１８】
請求項５に記載の発明は、請求項１から請求項４の何れか一項に記載の遊技機であって、前記表示ユニットは、前記表示用窓部とは離隔した領域において表示ゲームとは異なる前記遊技盤前面での表示を行うことを特徴とする。
【００１９】
「表示用窓部での表示ゲームとは異なる遊技盤前面での表示」とは、たとえば、装飾発光表示、特図表示、普図表示などである。
【００２０】
このように、表示ユニットは表示用窓部とは隔離した領域で遊技盤における表示ゲームとは異なる表示が可能であるので、多種多彩な遊技盤の交換に対応することが可能となる。また、遊技盤に表示ゲームとは異なる表示を行う装置を設ける必要がないので、構成を簡略化できるとともに、コストを削減できる。
【００２１】
請求項６に記載の発明は、請求項１から請求項５のいずれか一項に記載の遊技機であって、前記表示ユニットは、前後に移動可能であって前方側に付勢された状態で前記前面枠側に配設されるとともに、前記遊技盤を前面枠に装着した際に前記前面構成部材の後端部と当該表示ユニットの表面が当接可能に設けられ、
前記前面構成部材の後端部は、前記遊技領域面とは非平行状態で何れか一方側に傾斜して形成されて、前記遊技盤を前面枠に装着した際に、前記表示ユニットが該前面構成部材の後端部に対応して傾斜した状態に変更することを特徴とする。
【００２２】
「前後に移動可能」とは、平行移動だけではなく非平行移動（揺動）も含む。より詳細には、表示ユニットは、前面構成部材の後端部（表示ユニットとの接触面）と面接触して傾斜した状態になる。なお、傾斜方向は、上方、下方、左右の何れか一方のどちらでもよい。
【００２３】
このように、表示ユニットは、前後に移動可能であって前方側に付勢された状態で配設されていることで、前面構成部材の後端部の形状に対応して表示ユニットが移動するので、確実に前面構成部材の後端部に面接触することができる。
よって、遊技盤の交換によって前面構成部材の形状が変更されても対応することができ、多種の遊技盤を装着可能となる。
また、表示ユニットの表示方向が、遊技者にとって見やすい方向（例えば、斜め上方向）となるように構成された遊技盤にも対応できる。
【発明の効果】
【００２４】
本発明によれば、表示ユニットは遊技盤と別構成であるので、遊技盤を交換する場合でも、表示ユニットは交換する必要がなく、表示ユニットを新たな遊技盤でも使用できる。また、遊技機の入れ替え時に遊技機全体を交換する場合でも、表示ユニットを簡単に取り外すことができ、再利用することができる。さらに、表示ユニットの画像表示面の範囲内であれば、各種の面積を有する表示用窓部を形成した遊技盤を入れ替えることが可能であり、新たな遊技盤の表示用窓部に応じた表示を行うことが可能である。
また、遊技盤は木製であるので、障害釘の保持力も十分であるし障害釘の調整に関してもなんら問題ない。さらに、裏面側の流路が透けて見えてしまい装飾効果が低下してしまうこともない。
また、入賞口も所望の位置に形成することができ、多種多彩な遊技盤を交換することが可能となる。
【発明を実施するための最良の形態】
【００２５】
以下、この発明の第１の実施形態について図面を参照して説明する。
ここでは、本発明にかかる遊技機の適例としてのパチンコ遊技機について図１から図１１を用いて説明を行う。
【００２６】
図１から図３に示すように、本実施形態の遊技機１００は、矩形枠状に構成された機枠１１０を備え、この機枠１１０の一側方には、該機枠１１０に対し回動可能に矩形枠状の前面枠１２０が軸支されている。また、前面枠１２０は、当該前面枠１２０に備えられる各種部材等の取付用のベースとなる前面枠本体１３０と、当該前面枠本体１３０に対して、その前面側に回動可能に軸支されたクリア部材保持枠１４０（開閉枠）と、前面枠本体１３０の前面のクリア部材保持枠１４０の下側に取り付けられた発射操作ユニット１５０とを有する。また、前面枠本体１３０の裏面側には、表示ユニット１７０を備える裏面構成部材１６０が回動可能に軸支されている。
【００２７】
前面枠本体１３０は、矩形枠状の機枠１１０内にちょうど収まるように、概略矩形板状に構成されるとともに、その中央から上端部に渡る部分に後述する遊技盤１を嵌め込んで収容するための方形状の開口部１３１が形成されている。そして、前面枠本体１３０に収容された遊技盤１の前面が前面枠本体１３０の開口部１３１から前側に臨むようになっている。すなわち遊技盤１は、前面枠本体１３０に嵌め込まれることで前面枠１２０に取り付けられている。
【００２８】
また、前面枠本体１３０の遊技盤１が嵌め込まれた開口部１３１、すなわち、前面枠本体１３０の中央より少し下側から上端部にわたる部分には、前面枠本体１３０の前側を覆うように前記クリア部材保持枠１４０が配置されており、遊技盤１の前面と前記クリア部材保持枠１４０に嵌め込まれたクリア部材としてのガラス板１４１との間で、遊技盤１の前面に設けられたガイドレール２に囲まれた部分が、遊技球が発射されて流下する遊技領域１ａとされている。
【００２９】
また、クリア部材保持枠１４０の一方の側部（遊技機１００の前面側から見て左側の側部）は、前面枠本体１３０の一方の側部に回動可能に軸支されて、扉状に開閉自在とされ、クリア部材保持枠１４０を開くことにより、遊技盤１の前面側の遊技領域１ａの前側を開放可能となっている。
クリア部材保持枠１４０には、前面枠本体１３０の開口部１３１をほぼ閉塞するように、該開口部１３１に嵌め込まれた遊技盤１との間に遊技球が流下可能な遊技領域１ａとなる間隔を開けて二重のガラス板１４１が固定されている。そして、クリア部材保持枠１４０において、遊技機１００の前側からガラス板１４１を介して遊技盤１の前面側の少なくとも遊技領域１ａの部分が視認可能となっている。
【００３０】
また、クリア部材保持枠１４０の前面側には、遊技領域１ａの視認を妨げない位置に、図１に示すように、枠装飾３９としての枠装飾ランプ９，９が設けられており、遊技状態に対応して点灯、点滅、発光色の変更等の演出を行うようになっている。
【００３１】
また、前面枠本体１３０の前面側のクリア部材保持枠１４０の下側には、発射操作ユニット１５０が取り付けられている。
発射操作ユニット１５０は、左右側部のうちの一側部となる左側部を前面枠本体１３０に軸着されて、左右方向に回動して開閉自在な開閉パネル１５０ａとその下の下部パネル１５０ｂとからなる。開閉パネル１５０ａは、排出された遊技球を貯留するとともに、遊技球を発射する発射装置（図示略）に遊技球を送る上皿１５３を有している。また、開閉パネル１５０ａの下側の下部パネル１５０ｂには、上皿１５３に収容しきれない遊技球を収容する下皿１５４及び灰皿１５５と、遊技領域１ａに向けての遊技球の発射操作を行うとともに、該遊技領域１ａに遊技球を発射する際の発射勢を調節するための操作ハンドル１５１、音声を出力するスピーカ１５２などが設けられている。
【００３２】
また、前面枠本体１３０の裏面側であって、遊技盤１が嵌め込まれた開口部１３１の上端部から中央より少し下側にわたる部分には、前面枠本体１３０の裏面側を覆うように裏面構成部材１６０が配置されている。
図５に示すように、裏面構成部材１６０の前面の左側の端部は、前面枠本体１３０の裏面であって遊技機１００の裏面側から見て右側の側部に設けられた取付部材１３２に回動可能に軸支されて扉状に開閉自在とされ、裏面構成部材１６０を開くことにより、遊技盤１の裏面側の上部を開放可能となっている。
また、前面枠本体１３０に形成された開口部１３１には、図２，１０に示すように、遊技盤１を開口部１３１内に固定するための規制壁１３３、係止部材１３４、固定部材１３５、位置決め部材１３６が設けられている。
【００３３】
その他、前面枠本体１３０には、各部材の取付位置に各部材を取り付けるための構造が設けられており、例えば、取り付けられた部材を囲むように補強用のリブが形成されていたり、ビス等による部材の取り付けのためのボス等が形成されている。
【００３４】
開口部１３１に嵌め込まれる遊技盤１は、木製の遊技盤本体１０の前面に略円形に配されたガイドレール２で囲まれた遊技領域１ａを有し、この遊技領域１ａ内に遊技球（打球；遊技媒体）を発射して遊技を行うようになっている。
遊技領域１ａ内には、普図始動ゲート３、この普図始動ゲート３を遊技球が通過して普図変動表示ゲームが未処理となっている未処理回数を表示する普図始動記憶表示器（図示略）、普通図柄（普図）の変動表示ゲームを表示する普図変動表示器（図示略）が設けられている。また、普通変動入賞装置７と、この普通変動入賞装置７に遊技球が入賞して特図変動表示ゲームが未処理となっている未処理回数を点灯表示する特図始動記憶表示器（図示略）、特別図柄（特図、識別情報）の変動表示ゲームの表示領域となる表示用窓部１２を形成する前面構成部材１１、特別変動入賞装置６、盤装飾３８としての盤装飾ランプ２０、一般入賞口（図示略）、風車と呼ばれる打球方向変換部材（図示略）、多数の障害釘（図示略）などが設けられている。
【００３５】
普図始動ゲート３内には、該普図始動ゲート３を通過した遊技球を検出するためのゲートセンサ（図示略）が設けられている。そして、遊技領域１ａ内に打ち込まれた遊技球が、普図始動ゲート３内を通過すると、図示しない普図変動表示器において普図の変動表示ゲームが行われる。ここで、普図変動表示器は、例えば、ＬＥＤなどによって構成され、普通図柄（例えば、数字、記号、キャラクタ図柄など）の変動表示ゲームは、普図変動表示器の点灯状態を所定時間変動表示させた後、停止表示させることにより行うようになっている。なお、特図の変動表示ゲームの表示領域の一部で普図変動表示ゲームを表示するようにしても良い。この普図の変動表示ゲームの結果、普図変動表示器における停止表示が特別の結果態様となれば、普図の当たりとなって、普通変動入賞装置７の開閉部材７ａが所定時間（例えば、０.５秒間）後述のように開放される。これにより、普通変動入賞装置７に遊技球が入賞しやすくなり、特図の変動表示ゲームの始動が容易となる。
【００３６】
普通変動入賞装置７は左右一対の開閉部材７ａを具備し、この開閉部材７ａは、常時は遊技球が１個流入可能な程度の間隔で閉じた状態（遊技者にとって不利な状態）を保持しているが、普図変動表示器の普図変動表示ゲームの結果が所定の停止表示態様（例えば、「７」）となった場合には、逆「ハ」の字状に開いて普通変動入賞装置７に遊技球が流入し易い状態（遊技者にとって有利な状態）に変化されるようになっている。
この普通変動入賞装置７は、特図の始動入賞口も兼ねている。すなわち、普通変動入賞装置７の内部（入賞領域）に備えられた始動口センサ（図示略）により遊技球を検出することに基づき始動条件が成立し、特図の変動表示ゲームが開始されるようになっている。
【００３７】
図２、図５に示すように、遊技領域１ａの略中央部には、特図の変動表示ゲームの表示領域となる表示用窓部１２を形成する前面構成部材１１が取り付けられている。
前面構成部材１１は、断面が複雑な曲線となった筒状の部材であって、筒状の空間が延在する方向が遊技盤１の前後方向に沿うように、遊技盤１の略中央部に形成された表示用開口部１３に挿入された状態で取り付けられている。なお、表示用開口部１３は、断面が複雑な曲線となった前面構成部材１１の断面形状に合わせて形成されている。
【００３８】
前面構成部材１１の前端面には装飾が施されているとともに、盤装飾３８としての盤装飾ランプ２０が設けられている。また、前面構成部材１１を遊技盤１に固定するための取付部１４が形成されている。また、前面構成部材１１の内周面のうち下側となる部分は、遊技球が転動可能なステージ１５となっている。前面構成部材１１の後部は、遊技盤の裏面よりも後方に突出しており、その後端部１６には、後述する裏面構成部材１６０に取り付けられた表示ユニット１７０の前面が接するように配される。これによって、筒状の前面構成部材１１の開口部である表示用窓部１２を介して、表示ユニット１７０の画像表示面１７１の表示を遊技盤１の前面側から見ることができるようになっている。なお、後述するように画像表示面１７１の面積は表示用窓部１２の面積よりも十分広くなっており、画像表示面１７１上の表示は表示用窓部１２が配された領域のみで行われるように制御されている。
【００３９】
そして、遊技領域１ａ内に打ち込まれた遊技球が特図の始動口を兼ねる普通変動入賞装置７へ進入して始動条件が成立することに基づき、画像表示面１７１にて複数種類の識別情報（例えば、数字、記号、キャラクタ図柄など）を変動表示させる特別図柄の変動表示ゲームを実行可能となっている。なお、特図の変動表示ゲームは、画像表示面１７１において、複数種類の識別情報を所定時間変動表示させることにより行う。
そして、この特図の変動表示ゲームの結果として、画像表示面１７１の表示態様が特別結果態様（例えば、「７，７，７」等のゾロ目数字の何れか）となった場合には、大当たりとなって特別遊技状態（いわゆる、大当たり状態）となる。
【００４０】
特別変動入賞装置６は、上端側が手前側に倒れる方向に回動して開放可能になっているアタッカ形式の開閉扉６ａによって開閉される大入賞口６ｂを備えていて、特別遊技状態中は、大入賞口６ｂを閉じた状態から開いた状態に変換することにより大入賞口６ｂ内への遊技球の流入を容易にさせる。なお、開閉扉６ａは、例えば、ソレノイドのような駆動装置により駆動される。また、大入賞口６ｂの内部（入賞領域）には、該大入賞口６ｂに入った遊技球を検出するための大入賞口用センサ（図示略）が配設されている。
【００４１】
また、遊技領域１ａに設けられた各一般入賞口（図示略）には、一般入賞口に入った遊技球を検出するための一般入賞センサ（図示略）が配設されている。そして、遊技を開始することにより遊技領域１ａ内に打ち込まれた遊技球が、一般入賞口、始動入賞口（普通変動入賞装置７）、大入賞口６ｂ等の入賞口の何れかに入賞すると、それぞれの入賞口に対応した所定数の賞球としての遊技球が排出装置１９０によって上皿１５３に排出される（払い出される）ようになっている。
【００４２】
また、遊技盤本体１０の前面であって、遊技領域１ａを区画するガイドレール２の外側となる部分には、周囲構成部材１７が取り付けられている。そして、図１０に示すように、周囲構成部材１７の前面であって、遊技盤１の前面側から見て左側の端部には、後述する係止部材１３４の先端部が当接する矩形状の凹部である係止受部１８が上下に２つ形成されている。また、周囲構成部材１７の前面であって、遊技盤１の前面側から見て右側の端部には、後述する固定部材１３５が当接する段部である固定部材受部１９が上下に２つ形成されている。
【００４３】
遊技盤１は、前面枠本体１３０に形成された開口部１３１に対して、遊技機１００の前面側から着脱可能に嵌め込まれて固定されている。すなわち、前面枠１２０に対して着脱可能に配設されているが、図２，５，６，１０に示すように、開口部１３１には開口部１３１内の所定位置に遊技盤１を固定する部材として、規制壁１３３および係止部材１３４、固定部材１３５、位置決め部材１３６が設けられている。
規制壁１３３は、開口部１３１の内面に対して垂直に開口部１３１の中心方向に延出する板状の部材であって、開口部１３１の内周面に沿って形成されている。なお、規制壁１３３は、開口部１３１の内周面のうち、下部の内周面の一部には形成されていない。
開口部１３１は、この規制壁１３３によって開口する部分の面積が狭められた状態となるが、規制壁１３３が開口部１３１の内周面から延出する幅は、前面枠本体１３０の裏面側に配される後述する表示ユニット１７０の画像表示面１７１にかからない幅となっている。すなわち、遊技盤１を取り外した状態では、前面枠本体１３０の開口部１３１を介して表示ユニット１７０の画像表示面１７１の全面が視認可能となっている。
【００４４】
遊技機１００の前面側から見て左側となる開口部１３１の内周面上であって規制壁１３３の前側には、係止部材１３４が上下に２つ設けられている。この係止部材１３４が設けられている位置は、遊技盤１に形成された上述の係止受部１８と対向する位置となっている。係止部材１３４は、金属や合成樹脂などの弾性を有する材質からなる板状の部材で、その板面が開口部１３１の内周面に沿って前方に延出するとともに、先端側が開口部１３１の内側方向に湾曲しており、先端部分はさらに湾曲して筒状に形成されている。なお、外部から力がかかっていない状態において、係止部材１３４の先端と規制壁１３３の前面との間隔は、遊技盤１の係止受部１８が形成された部分の厚みよりも狭いものとされている。
【００４５】
遊技機１００の前面側から見て右側となる開口部１３１の内周面上であって規制壁１３３の前側には、固定部材１３５が上下に２つ設けられている。この固定部材１３５が設けられている位置は、遊技盤１に形成された上述の固定部材受部１９と対向する位置となっている。この固定部材１３５は、規制壁１３３の前面側に、規制壁１３３に対して垂直に植設された回動軸１３５ａと、回動軸１３５ａの前端部に回動自在に取り付けられた長円形板状の固定部１３５ｂとからなる部材で、固定部１３５ｂが開口部１３１に収容された遊技盤１の前面側に当接して遊技盤１の前方向への移動を規制するものである。
【００４６】
固定部１３５ｂは、その板面が規制壁１３３と平行になるように、板面の端部が回動軸１３５ａに取り付けられている。また、回動軸１３５ａに取り付けられた固定部１３５ｂの板面の裏面と規制壁１３３の前面との間隔は、遊技盤１の固定部材受部１９が形成された部分の厚みと略同じとなっている。よって、遊技盤１を開口部１３１に収容した状態で固定部１３５ｂを回動させることで、固定部１３５ｂの裏面が遊技盤１の前面に形成された固定部材受部１９に当接する状態と、該固定部材受部１９から退避した状態とに変換でき、これによって遊技盤１の固定と解除を行うことができる。なお、遊技盤１に形成された固定部材受部１９は、上述のように回動する固定部１３５ｂを受け入れ可能な上下幅、左右幅を有する段部となっている。
【００４７】
規制壁１３３の前面側であって、上述の係止部材１３４、固定部材１３５に隣接する位置には、長方形の１つの角が切り取られた形状をした板状の位置決め部材１３６が設けられている。この位置決め部材１３６は、その板面が水平になるように規制壁１３３の前面と開口部１３１の内周面に接するとともに、角部が切り取られ斜辺となった部分が開口部１３１の内側かつ前側（遊技盤１が挿入される側）に配されるように設けられている。また、開口部１３１の開口部分を挟んで対向する位置決め部材１３６，１３６の側端部であって、開口部１３１の内側に位置する側端部間の間隔は、遊技盤１の左右幅と略同じとなっている。このような位置決め部材１３６によって、後述するように、遊技盤１の取付の際に、遊技盤１を開口部１３１の所定位置に案内することができるとともに、開口部１３１に完全に収容された遊技盤１の側面に当接して、遊技盤１の左右方向への移動を規制することができる。
【００４８】
また、図３，４，１１に示すように、遊技機１００は、その制御系として遊技の進行を制御する主制御回路（主制御基板３０）、この主制御回路の制御下で各種の演出に関する制御を行う第１制御回路（演出ＲＯＭ基板３２）、第２制御回路（演出制御基板３３）、賞球の払い出しの制御を行う払出制御回路（払出制御基板３４）、発射装置による遊技球の発射を制御する発射制御回路（発射制御基板３６）、電力を供給する電源回路（電源基板３７）を備えている。
【００４９】
主制御回路としての主制御基板３０は、ＣＰＵ、ＲＡＭ、ＲＯＭ等を有する遊技用マイクロコンピュータ３１、入出力インタフェース（図示略）、各種処理の同期やタイマ等のためのパルス信号を出力するクロック（発振器、図示略）等により構成されている。
ＣＰＵは、制御部、演算部を備え、演算制御を行う他、特図変動表示ゲームの大当たり判定用乱数値などの各種乱数値なども生成している。
ＲＡＭは、普通変動入賞装置７内に設けられた始動口センサのオン信号などを記憶する記憶領域や、前記各種乱数値の記憶領域、並びに、ＣＰＵの作業領域等を備えている。
ＲＯＭには、遊技上の制御プログラムや制御データが書き込まれている他、上述の各種乱数値に対応して、特図の変動表示ゲームの大当り発生を判定するための、特図の変動表示ゲームの大当り判定値、変動パターン（リーチアクションの種類）の判定値などが記憶されている。
【００５０】
また、入出力インタフェースには、ローパスフィルタ及びバッファーゲートを介して、普通変動入賞装置７の始動口センサなどが接続されており、これらからの各種信号が入力され、これら各種信号は、該入出力インタフェースにより中継されて、ＣＰＵに対し出力される。
さらに、入出力インタフェースには、ＣＰＵから出力される各種の制御信号が入力され、これら制御信号は、該入出力インタフェースにより中継されて、図示しない出力ポート及びドライバーを介して、普通変動入賞装置７や特別変動入賞装置６の駆動手段としての各種開閉ソレノイド、第１制御回路としての演出ＲＯＭ基板３２、賞球の払出を制御する払出制御回路としての払出制御基板３４などに出力されている。
【００５１】
第１制御回路としての演出ＲＯＭ基板３２は、演出の制御内容を記憶した制御ＲＯＭ、画像や映像データが記憶されたＣＧＲＯＭ、音データが記憶された音データＲＯＭを備えている。なお、この演出ＲＯＭ基板３２に備えられた各種ＲＯＭの記憶内容は、遊技機の機種に依存するものである。
また、演出ＲＯＭ基板３２は、盤装飾ランプ２０などの盤装飾３８を制御する図示しない制御回路を備えており、主制御基板３０から受信した制御信号（演出コマンド）に基づいて（主制御基板３０の制御の下に）盤装飾３８の制御を行う。
【００５２】
また、この演出ＲＯＭ基板３２と直接接続された第２制御回路としての演出制御基板３３は、制御装置としてのＣＰＵ、ＲＡＭや、表示ユニット１７０（液晶表示パネル１７３）における表示を制御する画像用メモリとしてのＲＡＭや、グラフィックプロセッサとしてのＶＤＰ（video display processor）などを含むビデオ回路、音の出力を制御する音源ＬＳＩ等を備えている。なお、この演出制御基板３３は、複数の機種において共通使用可能なものである。
この演出制御基板３３は、主制御基板３０から演出ＲＯＭ基板３２を介して受信した制御信号（演出コマンド）に基づいて（主制御基板３０の制御の下に）枠装飾ランプ９，９などによる枠装飾３９の制御、表示ユニット１７０の液晶表示パネル１７３、液晶表示パネル１７３のバックライト１７３ａの制御、スピーカ１５２による音の出力の制御を行う。
【００５３】
払出制御回路としての払出制御基板３４は、ＣＰＵ、ＲＡＭ、ＲＯＭ等を有するマイクロコンピュータ３５を有し、主制御基板３０からの制御信号（賞球コマンド）や、球貸機（図示略）からの制御信号（球貸しコマンド）に基づいて所要数の遊技球（賞球、貸球）を排出装置１９０から排出させる制御を行う。
また、発射制御回路としての発射制御基板３６は、発射装置による遊技球の発射制御を行う。
そして、上述の各制御基板や、遊技機１００に備えられた各装置には、電源回路としての電源基板３７から電力が供給されるようになっている。
【００５４】
これらの制御回路においては、例えば以下のような制御が行われる。
主制御基板３０のＣＰＵでは、普通変動入賞装置７に備えられた始動口センサからの遊技球の検出信号の入力に基づき、特図の大当たり判定用乱数値を抽出してＲＯＭに記憶されている判定値と比較し、特図の変動表示ゲームの当たり外れを判定する処理を行う。また、この他に変動パターンの判定を行う処理などを行い、これらの結果を含む制御信号を演出ＲＯＭ基板３２に出力する。演出ＲＯＭ基板３２とこれに接続した演出制御基板３３では、主制御基板３０からの制御信号に基づき、液晶表示パネル１７３で特図の変動表示ゲームを表示する処理や、音の出力、ランプの点滅などの盤装飾３８、枠装飾３９を制御する処理を行う。そして、主制御基板３０のＣＰＵは、特図の変動表示ゲームが大当たりであった場合に、特別遊技状態を発生し、特別変動入賞装置６を動作する制御を行う。
【００５５】
また、主制御基板３０のＣＰＵは、普図始動ゲート３に設けられたゲートセンサからの遊技球の検出信号の入力に基づき、上述と同様に普図の変動表示ゲームの当たり外れを判定するとともに演出ＲＯＭ基板３２に制御信号を出力し、普図変動表示器に普図変動表示ゲームを表示させる。そして、主制御基板３０のＣＰＵは、普図の変動表示ゲームが当たりであった場合に、普通変動入賞装置７を動作する制御を行う。
【００５６】
また、主制御基板３０のＣＰＵは、各種入賞口に設けられたセンサから入力される遊技球の検出信号に基づき払出制御基板３４に制御信号を出力する。払出制御基板３４は、制御信号の入力に基づき排出装置１９０を制御して所定数の遊技球が払い出されるようにする。
また、主制御基板３０のＣＰＵは所定の入力信号に基づき、払出制御基板３４を介して発射制御基板３６に制御信号を出力する。発射制御基板３６は、制御信号の入力に基づき発射装置を制御して遊技球が遊技領域１ａに発射されるようにする。
すなわち、以上のことから主制御回路をなす主制御基板３０は、遊技の進行を制御する遊技制御装置をなし、第１制御回路をなす演出ＲＯＭ基板３２と第２制御回路をなす演出制御基板３３とが遊技機１００における種々の演出を制御する演出制御装置をなす。
【００５７】
そして、これらの各基板は以下のように遊技機に取り付けられている。
図５に示すように、画像表示面１７１における表示データなど、機種に依存するデータが記憶された第１制御回路としての演出ＲＯＭ基板３２は、遊技盤１の裏面側であって後述する裏面構成部材１６０の開口部２０２に臨む位置に取り付けられ、さらにその後側に遊技を制御する主制御回路としての主制御基板３０がボックス３０ａに収納された状態で取り付けられている。そして、複数の機種で共通使用可能な第２制御回路としての演出制御基板３３は、ボックス３３ａに収納された状態で前面枠本体１３０の裏面側に取り付けられた後述の裏面構成部材１６０に取り付けられている。また、排出装置１９０による賞球の払い出しを制御する払出制御回路としての払出制御基板３４、遊技機１００内の各装置に電力を供給する電源回路としての電源基板３７は、それぞれボックス３４ａ、３７ａに収納された状態で、前面枠本体１３０の裏面側であって開口部１３１の下側となる位置に取り付けられている。なお、発射制御基板３６も前面枠本体１３０に取り付けられている。
【００５８】
すなわち、機種に依存する演出ＲＯＭ基板３２、主制御基板３０は遊技盤１に取り付けられ、複数の機種で共通使用可能な演出制御基板３３や払出制御基板３４、発射制御基板３６、電源基板３７は前面枠本体１３０もしくは裏面構成部材１６０に取り付けられている。よって、遊技盤１を変更することにより機種に依存する基板のみが交換され、遊技機１００の遊技内容を変更することが可能である。
【００５９】
図２から図１０に示すように、裏面構成部材１６０は、本体部１６１と、画像を表示する液晶表示パネル１７３を備える後述する表示ユニット１７０を支持、案内するためのガイド部１６２を有し、表示ユニット１７０の他、表示ユニット１７０を制御する演出制御基板３３、賞球などを排出する排出装置１９０、排出装置１９０に遊技球を供給する貯留タンク１９２やシュート１９５が取り付けられている。
上述したように、裏面構成部材１６０の前面の左側の端部は、前面枠本体１３０の裏面であって遊技機１００の裏面側から見て右側の側部に設けられた取付部材１３２に回動可能に軸支されており、前面枠本体１３０に形成された開口部１３１の上側略半分を裏面側から覆って遊技盤１の裏面に臨む状態から、後方に扉状に回動して開口部１３１の裏面側を開放する状態との間で回動可能となっている。
【００６０】
本体部１６１には、裏面構成部材１６０が遊技盤１の裏面に臨む状態において、前面側（遊技盤１の裏面に臨む側）に開口する矩形箱状の凹部である表示ユニット配設部１６３が形成されている。また、裏面構成部材１６０の裏面側から見て、表示ユニット配設部１６３の右側に隣接して、裏面側に開口する矩形箱状の凹部である排出装置配設部１６４が形成されている。
【００６１】
表示ユニット配設部１６３は、後述するように、ガイド部１６２とともに表示ユニット１７０を収納する表示ユニット収納部１６８を形成するものである。
図８に示すように、表示ユニット配設部１６３の背面となる本体部１６１の前面には、本体部１６１を補強するための補強リブ１６５が格子状に形成されているとともに、後述する表示ユニット１７０の裏面側に形成された後方位置規制部材１７７が当接する当接部１６６が形成されている。
また、矩形箱状の凹部である表示ユニット配設部１６３の周面を形成する周囲壁１６７は、排出装置配設部１６４に隣接する部分を除いて本体部１６１の外周壁を兼ねており、所定の厚みを有するとともに内部には補強リブが形成されている。なお、周囲壁１６７のうち下側の周囲壁１６７は、角部に連続する一部を残して切り取られた状態となっている。なお、この残された下側の周囲壁１６７の左右幅は、ここに収容される表示ユニット１７０を支持可能であるとともに、前後方向に案内するのに十分な幅となっている。
【００６２】
また、左右の周囲壁１６７の前側には、それぞれ断面コ字型のガイド部１６２が、開口した側が互いに対向し、かつ、表示ユニット配設部１６３の周囲壁１６７のうち、左右の周囲壁１６７の全部と上下の周囲壁１６７の一部の前側を覆って前方に突出するように取り付けられている。
このガイド部１６２は、表示ユニット配設部１６３の右側もしくは左側の周囲壁１６７に沿って配される側壁部１６２ａと、側壁部１６２ａの一端部に直角に接続し、上側の周囲壁１６７に沿って配される上壁部１６２ｂと、側壁部１６２ａの他端部に直角に接続し、下側の周囲壁１６７に沿って配される下壁部１６２ｃとからなる。
【００６３】
本体部１６１の前面側から見て右側に配されたガイド部１６２は、その側壁部１６２ａが表示ユニット配設部１６３の右側の周囲壁１６７と略同じ厚み、長さ有するとともに、上壁部１６２ｂが上側の周囲壁１６７と略同じ厚みを有し、下壁部１６２ｃが下側の周囲壁１６７と同じ厚みを有する。そして、ガイド部１６２の下壁部１６２ｃの左右幅は、下側の周囲壁１６７の左右幅と同じ幅となっており、ガイド部１６２の上壁部１６２ｂも下壁部１６２ｃの左右幅と同じ幅となっている。
また、本体部１６１の前面側から見て左側に配されたガイド部１６２も略同じ構成を有するが、図１０に示すように、表示ユニット配設部１６３の左側の周囲壁１６７の厚さが右側の周囲壁１６７の厚さに比べ薄いので、左側に配されたガイド部１６２の側壁部１６２ａは、左側の周囲壁１６７よりも厚くなっている。
また、ガイド部１６２の側壁部１６２ａ、上壁部１６２ｂ、下壁部１６２ｃの内部には、周囲壁１６７と同様に補強リブ１６２ｄが形成されている。
【００６４】
このような構成を有するガイド部１６２を本体部１６１に取り付けた状態では、図７，８に示すように、ガイド部１６２の内周面が表示ユニット配設部１６３の周囲壁１６７の内周面と略同一面を形成するようになっており、ガイド部１６２によって周囲壁１６７の内周面のうち、側面および上下面の一部が前側に延出された状態となっている。この表示ユニット配設部１６３とガイド部１６２で形成される、所定の奥行きを有するとともに前側に開口した矩形凹室形状の空間が、表示ユニット１７０を収納する表示ユニット収納部１６８となる。そして、ガイド部１６２の上壁部１６２ｂもしくは下壁部１６２ｃと側壁部１６２ａが接続する角部周辺と、この角部の後方側に連続する表示ユニット配設部１６３の角部周辺が、主に表示ユニット１７０を支持、案内する案内部１６９として機能する。
【００６５】
この表示ユニット収納部１６８には、画像表示面１７１が前側（開口した側）となるように表示ユニット１７０が配設されるようになっている。そして、図２に示すように、裏面構成部材１６０を遊技盤１の裏面に臨むように配することで、遊技盤１の裏面側に表示ユニット１７０の画像表示面１７１が臨むようになる。なお、裏面構成部材１６０が遊技盤１の裏面に臨む状態にあるとき、表示ユニット１７０は遊技盤１の裏面から後方側へ隔離した位置に配されるようになっている。また、この表示ユニット収納部１６８の上下幅および左右幅は、表示ユニット１７０の上下幅および左右幅よりも大きくなっている。これによって、表示ユニット１７０の前後方向への移動が容易になるとともに、表示ユニット１７０が表示ユニット収納部１６８内で傾斜した状態になることが可能となる。
【００６６】
すなわち、裏面構成部材１６０は、表示ユニット配設部１６３とガイド部１６２とによって形成された、表示ユニット１７０を収納可能な凹室形状の表示ユニット収納部１６８を有し、該表示ユニット収納部１６８は所定寸法の奥行きを有し、表示ユニット１７０を遊技盤１裏面から後方側に隔離して配設可能としている。
【００６７】
以上のことから、前面枠１２０（前面枠本体１３０）における遊技盤１の後方側に、表示ユニット１７０を配設するための裏面構成部材１６０を設け、裏面構成部材１６０は、表示ユニット１７０を遊技盤１の裏面から後方側に離隔した位置に配設可能に構成したこととなる。
【００６８】
図７，８に示すように、左右のガイド部１６２の上壁部１６２ｂおよび下壁部１６２ｃの内面の前方側には、前方位置規制部材１８０が各々形成されている。この前方位置規制部材１８０は、直角三角形板状の部材で、側壁部１６２ａの内面と上壁部１６２ｂもしくは下壁部１６２ｃの内面に、それぞれ垂直に接するように形成されている。この前方位置規制部材１８０が形成されている位置は、表示ユニット収納部１６８内における表示ユニット１７０の移動範囲の前端となる位置であって、表示ユニット１７０がこの前方位置規制部材１８０に当接することで、それ以上の前方向への移動が規制されるようになっている。
【００６９】
また、ガイド部１６２の側壁部１６２ａの内周面であって、前方位置規制部材１８０に隣接する位置には、付勢部材取付部１８１が形成されている。すなわち、表示ユニット収納部１６８の四隅には、それぞれ付勢部材取付部１８１が形成されている。
付勢部材取付部１８１は、付勢部材としての引張コイルばね１８２を側壁部１６２ａの内面に沿って配するための付勢部材案内部１８３と、付勢部材取付部１８１の前端部にあって引張コイルばね１８２の一端を固定する付勢部材固定部１８４とを有する。付勢部材案内部１８３は、ガイド部１６２の前後方向に沿って形成された溝状の部分で、引張コイルばね１８２の側部の一部を収容し、ガイド部１６２の前後方向に沿って引張コイルばね１８２が伸縮するように案内するものである。また、付勢部材固定部１８４は、付勢部材案内部１８３の前端側にあって、側壁部１６２ａの内面から突出する半円形筒状に形成されており、この筒状部分の内部に引張コイルばね１８２の一端を固定できるようになっている。
【００７０】
引張コイルばね１８２の他端は、後述するように、表示ユニット収納部１６８内を前後方向に移動可能な表示ユニット１７０の四隅に形成された固定部１７８に固定されている。すなわち、表示ユニット収納部１６８と表示ユニット１７０の対向する各角部は引張コイルばね１８２を介して連結され、表示ユニット１７０の四隅がそれぞれガイド部１６２に形成された付勢部材固定部１８４方向へ、すなわち表示ユニット収納部１６８の前端側方向へ付勢されるようになっている。
なお、各角部に取り付けられた引張コイルばね１８２は、それぞれ独立して伸縮可能であって、表示ユニット１７０が表示ユニット収納部１６８内で傾斜した状態となり、各引張コイルばね１８２の伸縮幅が異なる状態となることも可能である。
【００７１】
図７から図９に示すように、表示ユニット１７０は、前面側が開口した略矩形箱状の枠体１７２と、画像を表示可能な液晶表示パネル１７３、バックライト１７３ａ（図１１に図示）、液晶表示パネル１７３を保護する前面カバー１７４を備える。
枠体１７２は、表示ユニット１７０の前面以外の外周面を形成しており、この枠体には、液晶表示パネル１７３、前面カバー１７４が収容される。
【００７２】
液晶表示パネル１７３は、前面側（枠体１７２の開口側）に画像を表示可能な画像表示面１７１が配されるように枠体１７２に収容されており、さらにその前面側には、液晶表示パネル１７３を保護する透明な前面カバー１７４が取り付けられている。よって、液晶表示パネル１７３の画像表示面１７１は、表示ユニット１７０の前面側から前面カバー１７４を介して視認可能となっている。この液晶表示パネル１７３の画像表示面１７１の面積は、枠体１７２の開口部の面積と略等しく、また、図２に示すように、前面枠本体１３０に形成された開口部１３１の上側略半分（遊技盤１の上側略半分）を裏面側から覆うことができる面積となっており、前面構成部材１１によって形成された表示用窓部１２よりも広いものである。すなわち、画像表示面１７１の面積が、少なくとも表示用窓部１２よりも広く、表示用窓部１２の大きさが変化してもそれに対応できるようになっている。このように、液晶表示パネル１７３の画像表示面１７１が遊技盤１の裏面側を幅広く覆うようにすることで、遊技盤１を交換して遊技機１００の遊技内容を変更する場合に、多種の遊技盤１の表示用窓部１２に対応できるようになっている。
【００７３】
なお、表示ユニット１７０は、図１２に示すように、画像表示面１７１の面積が表示用窓部１２よりも広いので、表示用窓部１２が配される領域に対応する領域１７１ａに画像が表示されるように演出ＲＯＭ基板３２および演出制御基板３３によって制御されている。この画像を表示する領域１７１ａを決定する遊技盤１の表示用窓部１２の大きさや位置に関する情報は、演出ＲＯＭ基板３２に記憶されているが、演出ＲＯＭ基板３２は遊技盤１に取り付けられており、遊技盤１と一緒に演出ＲＯＭ基板３２も交換される。よって、遊技盤１の交換に伴い、例えば、図１２（ａ）に示す、これまでの遊技盤の表示用窓部に対応した画像表示領域１７１ａから、図１２（ｂ）に示す、新たな遊技盤１の表示用窓部１２に対応した画像表示領域１７１ａに変更できるようになっている。
【００７４】
以上のことから、遊技領域１ａを形成する遊技盤１を前面枠１２０（前面枠本体１３０）に対して着脱可能に配設し、該遊技盤１の表示用窓部１２において遊技に関わる表示ゲームを表示するようにした遊技機１００において、遊技盤１は、障害釘が植設される木製の遊技盤本体１０と、該遊技盤本体１０に形成された表示用開口部１３に対応して取り付けられて表示用窓部１２を区画形成する前面構成部材１１と、を含み、表示ゲームを表示する表示ユニット１７０を前面枠１２０における遊技盤１の裏面側に配設し、表示ユニット１７０は、画像表示面１７１の面積が少なくとも表示用窓部１２よりも広くなるように構成して、遊技盤１を交換した際に、新たな遊技盤１の表示用窓部１２に対応した画像表示に変更可能としたこととなる。
【００７５】
略矩形状の表示ユニット１７０の各角部は、側面より側方に突出しているとともに、角部を補強する補強部材１７６が各々取り付けられている。図７に示すように、表示ユニット１７０は、表示ユニット収納部１６８の角部周辺の案内部１６９で主に支持、案内されるので、表示ユニット１７０の角部には負担がかかることとなる。よって、表示ユニット１７０の角部に補強部材１７６を取り付けることで、表示ユニット１７０の耐久性を向上させている。また、角部が側面より側方に突出していることと、補強部材１７６が角部を外側から覆い、外側に突出した状態となっていることで、表示ユニット収納部１６８との接触面積を小さくすることができ、また、補強部材１７６自体を滑りやすい材質（例えばポリアセタール）を使用していることから表示ユニット１７０の前後移動が容易になる。
また、この補強部材１７６の前面側の一部は、枠体１７２によって形成された箱状空間の前面側の開口に突出するように形成されており、この部分が前面カバー１７４の前面に各々当接することで、前面カバー１７４が前側に移動することを規制し、枠体１７２内に前面カバー１７４と液晶表示パネル１７３を保持するようになっている。
【００７６】
図８，９に示すように、表示ユニット１７０の左右の側面であって、補強部材１７６が取り付けられる角部に隣接した個所には、付勢部材をなす引張コイルばね１８２の一端を固定する固定部１７８が上下に各々形成されている。この引張コイルばね１８２の他端は、上述したように、ガイド部１６２に形成された付勢部材取付部１８１に固定されており、これによって表示ユニット１７０が前側へ付勢された状態となる。
【００７７】
また、表示ユニット１７０の裏面側には、本体部１６１の裏面側に配される演出制御基板３３と液晶表示パネル１７３を接続するための接続部１７９が形成されている。この接続部１７９には図示しないコネクタが設けられており、演出制御基板３３からの配線を接続できるようになっている。
【００７８】
さらに、表示ユニット１７０の裏面側には、表示ユニット１７０の後方向への動作を規制する後方位置規制部材１７７が形成されている。この後方位置規制部材１７７は棒状の部材で、表示ユニット１７０の裏面に対して垂直に後方へ突出するように形成されている。上述したように、この後方位置規制部材１７７と対向する本体部１６１の前面には、当接部１６６が形成されており、表示ユニット１７０が必要以上に後方向へ移動すると、後方位置規制部材１７７の後端部が当接部１６６に当接して、それ以上の後方向への移動を規制するようになっている。すなわち、表示ユニット１７０は、裏面構成部材１６０の所定寸法の奥行きを有する表示ユニット収納部１６８内に前後方向に移動可能に収容されており、その移動範囲は、前方位置規制部材１８０と後方位置規制部材１７７により所定の範囲に規制されている。
【００７９】
図３，９，１０に示すように、本体部１６１の裏面側から見て表示ユニット配設部１６３の右側には、本体部１６１の裏面側に開口した略矩形箱状の凹部である排出装置配設部１６４が形成され、排出装置１９０が取り付けられている。
排出装置１９０は、主制御基板３０の制御の下に払出（排出）制御基板３４によって制御されるようになっており、入賞口への入賞によって主制御基板３０から払出制御基板３４に出力される賞球の排出を指示する制御信号に基づき、所定数の賞球としての遊技球を排出するようになっている。また、図示しない球貸機から払出制御基板３４に出力される貸球の排出を指示する制御信号に基づき、所定数の貸球としての遊技球を排出するようになっている。そして、排出装置１９０から排出された遊技球は、発射操作ユニット１５０の前面側に設けられた上皿１５３に流入するようになっている。また、排出装置１９０の裏面側は、カバー体１９１によって覆われるようになっており、排出装置１９０は排出装置配設部１６４とカバー体１９１によって形成される空間内に配されることとなる。
【００８０】
また、本体部１６１上側の外周壁の外周面、すなわち、本体部１６１の上面であって表示ユニット配設部１６３が形成された部分の上側には、排出装置１９０に供給される遊技球を貯留する貯留タンク１９２が設けられ、さらに、貯留タンク１９２が設けられた本体部１６１の上面であって、表示ユニット配設部１６３が形成された側の側端部には、貯留タンク１９２から排出された遊技球を本体部１６１の裏面側に誘導する誘導流路１９３が形成されている。また、表示ユニット配設部１６３の裏面側には、誘導流路１９３が形成された位置から排出装置配設部１６４まで遊技球を誘導するシュート１９５を取り付けるためのシュート取付部１９４が形成されている。
【００８１】
貯留タンク１９２は、略矩形箱状の部材であって、その長さ方向が本体部１６１の左右方向に沿うとともに、上側に開口するように本体部１６１の上面に取り付けられている。この貯留タンク１９２は、遊技機１００が設置される図示しない島設備に設けられた供給装置から供給される遊技球を一時貯留し、排出装置１９０に供給するものである。この貯留タンク１９２の本体部１６１の左右方向に沿った幅は、表示ユニット配設部１６３の左右幅より狭く、また、貯留タンク１９２の本体部１６１の前後方向に沿った幅は、貯留タンク１９２が取り付けられる本体部１６１の上面の前後幅より広くなっている。
【００８２】
貯留タンク１９２の前後の略中央部であって本体部１６１の上面に配される部分には、本体部１６１の上面に沿って左右方向に延在するとともに、底面が延在方向の一端部（本体部１６１の前面側から見て右側）に向かって下る傾斜を有する流下路１９６が形成されている。この流下路１９６の下流側端部の底面には、貯留タンク１９２内の遊技球を外部に排出する排出口１９７として遊技球が通過可能な開口が形成されている。また、この流下路１９６より前側の部分は、本体部１６１に設けられたガイド部１６２の前端部と略同じ前後位置まで前側に突出しており、流下路１９６に遊技球を導くように後方に向かって下る傾斜を有する後方傾斜部１９８とされている。そして、流下路１９６より後側の部分は、後述するシュート取付部１９４をなす本体部１６１裏面に形成された段部２００の後端部と略同じ前後位置まで後側に突出しており、流下路１９６に遊技球を導くように前方に向かって下る傾斜を有する前方傾斜部１９９とされている。
【００８３】
なお、流下路１９６の排出口１９７が形成された部分の前後には、後方傾斜部１９８、前方傾斜部１９９は形成されておらず、この部分が貯留タンク１９２の側端から突出した状態となっている。これによって、後方傾斜部１９８、前方傾斜部１９９から流下路１９６に向かって流下する遊技球が、直接排出口１９７に流入することを防止でき、排出口１９７付近で球詰まりが発生することを防いでいる。
【００８４】
図９に示すように、貯留タンク１９２が設けられる本体部１６１の上面を形成する本体部１６１上側の外周壁には、排出装置配設部１６４が隣設された側とは反対の側端部に誘導流路１９３が形成されている。この誘導流路１９３は、外周壁の前端から後端にかけて本体部１６１の前後方向に沿って形成されており、遊技球が流下可能な幅を有するとともに裏面側に向かって下る傾斜を有する。また、誘導流路１９３が形成された部分の本体部１６１の裏面には、誘導流路１９３に連続する凹部１９３ａが、上下方向に沿ってシュート取付部１９４をなす段部２００まで形成されている。そして、この誘導流路１９３の上方に貯留タンク１９２の排出口１９７が配され、貯留タンク１９２から排出された遊技球が誘導流路１９３の傾斜に沿って本体部１６１の裏面側に誘導されるようになっている。
【００８５】
本体部１６１の表示ユニット配設部１６３が形成されている部分の裏面には、後方に突出する段部２００が形成され、その上面が遊技球の流路を形成するシュート１９５を取り付けるシュート取付部１９４とされている。シュート取付部１９４をなす段部２００の上面は、その前後幅（段部２００の後方に突出する幅）が遊技球の直径よりも広いものとされ、誘導流路１９３が形成された位置から排出装置配設部１６４にかけて、排出装置配設部１６４側に下る傾斜を有するように形成されている。
【００８６】
このシュート取付部１９４に取り付けられるシュート１９５は、シュート取付部１９４をなす段部２００の上面と略同じ大きさの底板１９５ａと、底板１９５ａに対し垂直に接続した背面板１９５ｂとからなるＬ字型の板状の部材である。そしてシュート１９５は、底板１９５ａがシュート取付部１９４上に配され、かつ、背面板１９５ｂがシュート取付部１９４の後端部側に配されるように取り付けられる。これによって、図３に示すように、背面板１９５ｂは段部２００下方の本体部１６１の裏面と略同一面を形成するようになる。また、背面板１９５ｂの上下幅は、段部２００の上面から本体部１６１の上面に取り付けられた貯留タンク１９２の上端までの幅とされ、段部２００の後端部と略同じ位置まで後方に突出する貯留タンク１９２の前方傾斜部１９９の後端面に背面板１９５ｂの上端部を固定できるようになっている。
【００８７】
すなわち、シュート１９５の底板１９５ａが誘導流路１９３から排出装置配設部１６４に至る裏面流下路２０１の底面をなすとともに、背面板１９５ｂと段部２００上方の本体部１６１の裏面が裏面流下路２０１の側面をなす。また、本体部１６１の上部に設けられた貯留タンク１９２の前方傾斜部１９９が裏面流下路２０１の上面をなし、前方傾斜部１９９の後端部に背面板１９５ｂの上端部が固定されることで、本体部１６１の裏面側に排出装置１９０に接続する筒状の裏面流下路２０１が形成されることとなる。
【００８８】
以上のような構成によって、図示しない島設備の供給装置から供給され、貯留タンク１９２に貯留された遊技球は、貯留タンク１９２の後方傾斜部１９８もしくは前方傾斜部１９９の傾斜によって、貯留タンク１９２の前後方向の中央部に形成された流下路１９６に誘導され、さらに、流下路１９６の傾斜に沿って排出口１９７に誘導される。排出口１９７から排出された遊技球は、誘導流路１９３の傾斜に沿って本体部１６１の裏面側に流下し、シュート１９５によって形成された裏面流下路２０１に沿って排出装置１９０に至り、排出装置１９０が動作することによって発射操作ユニット１５０の前面に形成された上皿１５３に排出される。なお、貯留タンク１９２の排出口１９７から排出装置１９０に至る流路内には、常に遊技球が待機している状態となっており、排出装置１９０によって流路内の遊技球が排出されることに伴って貯留タンク１９２から流路に遊技球が流入する。
【００８９】
以上のことから、裏面構成部材１６０は、遊技球の排出を行う排出装置１９０と、排出する遊技球を一時貯留する貯留タンク１９２とを配設したこととなる。
【００９０】
また、図４，９に示すように、排出装置配設部１６４の下部は、表示ユニット配設部１６３よりも下方に延出するように形成されている。言い換えれば、本体部１６１は表示ユニット配設部１６３の下方が切欠状に開口しており、この切欠状の開口部２０２には、遊技盤１に取り付けられた第１制御回路としての演出ＲＯＭ基板３２の一部が収容されるようになっている。そして、前面枠本体１３０の裏面側であって、この切欠状の開口部２０２の上側となる部分には、第２制御回路としての演出制御基板３３を取り付けるための、後方に開口した回路取付凹部２０３が形成されている。
【００９１】
演出制御基板３３はボックス３３ａに収容されており、このボックス３３ａは回路取付凹部２０３に収容可能な大きさとなっている。回路取付凹部２０３の上端部には、本体部１６１の左右方向に沿って延在する回動軸２０４が設けられており、この回動軸２０４が演出制御基板３３を収納したボックス３３ａの上部に形成された軸受け３３ｂに挿通されてボックス３３ａが回路取付凹部２０３に対して扉状に開閉可能に支持されている。なお、ボックス３３ａは、回路取付凹部２０３に収容された状態から本体部１６１の裏面側方向へ回動可能となっている。
【００９２】
また、回路取付凹部２０３の背面をなす本体部１６１の裏面には、回路取付凹部２０３の前面側に形成された表示ユニット収納部１６８に連通する開口２０５が形成されており、ボックス３３ａのこの開口２０５と対向する部分には、演出制御基板３３に設けられた図示しないコネクタがボックス３３ａの外側に露出している。そして、この演出制御基板３３のコネクタに接続された配線が、回路取付凹部２０３の背面に形成された開口２０５を通って表示ユニット１７０の背面の接続部１７９に設けられたコネクタに接続されることで、演出制御基板３３と液晶表示パネル１７３が接続される。
【００９３】
また、ボックス３３ａの裏面側から見て右側面からも、演出制御基板３３に設けられたコネクタ３３ｃがボックス３３ａの外側に露出している。このコネクタ３３ｃにも配線が接続され、遊技機１００に設けられたその他の基板などと接続される。なお、このボックス３３ａの右側面に対向する回路取付凹部２０３の側壁には、コネクタ３３ｃに接続された配線を通すための切欠き２０６が形成されている。この切欠き２０６は、回路取付凹部２０３に隣接して設けられた凹部２０７に連通しており、配線はこの凹部２０７を経由して他の基板などへ向けて配設される。また、この凹部２０７には、遊技機１００の外部に設けられる装置（管理装置など）と接続するための外部情報端子を有する外部情報端子板２０８が設けられている。
【００９４】
演出制御基板３３を収容したボックス３３ａの上下幅は、回路取付凹部２０３の上下幅よりも広く、回路取付凹部２０３にこのボックス３３ａを収容すると、ボックス３３ａの下部が回路取付凹部２０３の下方に形成された開口部２０２に延出するようになっている。そして、図８に示すように、ボックス３３ａの前面側であって開口部２０２に延出する部分からは、演出制御基板３３に設けられたコネクタ３３ｅがボックス３３ａの外側に露出している。
【００９５】
また、図４に示すように、遊技盤１の裏面には演出ＲＯＭ基板３２が取り付けられており、裏面構成部材１６０を遊技盤１の裏面に臨むように配すると、開口部２０２にその上部が収容されるようになっている。そして、この演出ＲＯＭ基板３２の裏面であって、開口部２０２に収容されるとともに演出制御基板３３が取り付けられた回路取付凹部２０３の下方に位置する部分には、コネクタ３２ａが設けられている。
【００９６】
すなわち、図３に示すように、遊技盤１が前面枠本体１３０に取り付けられ、かつ、裏面構成部材１６０が遊技盤１の裏面側に配された状態で、演出制御基板３３を収容したボックス３３ａを回路取付凹部２０３に収容される状態にすると、演出ＲＯＭ基板３２のコネクタ３２ａと演出制御基板３３のコネクタ３３ｅが連結し、演出ＲＯＭ基板３２と演出制御基板３３が直接接続するようになっている。さらに、演出制御基板３３を収容したボックス３３ａの開口部２０２に延出する部分の両側面には、ワンタッチ着脱式の固定部材３３ｄが設けられており、演出ＲＯＭ基板３２に形成された取付穴３２ｂに固定部材３３ｄの固定部を押し込むことで両基板のコネクタ３２ａ，３３ｅを確実に連結できるようになっている。
【００９７】
以上のことから、前面枠１２０（前面枠本体１３０）における遊技盤１の後方側に、表示ユニット１７０を配設するための裏面構成部材１６０を設け、裏面構成部材１６０は、遊技盤１を装着した際に、当該遊技盤１の後方側所定部位が臨む開口部２０２を形成し、表示ユニット１７０を制御する制御回路を、機種に依存する第１制御回路（演出ＲＯＭ基板３２）と、複数の機種で共通使用可能な第２制御回路（演出制御基板３３）とに分離構成し、第１制御回路を遊技盤裏面側における開口部２０２に臨む部位に配設する一方、第２制御回路を裏面構成部材１６０における該開口部２０２の縁部に配設することで、遊技盤１を前面枠１２０に装着した際に、第１制御回路と第２制御回路を直接接続可能に構成したこととなる。
【００９８】
次に、以上のように構成される遊技機１００における、遊技盤１の取付方法について図１０を参照して説明する。なお、ここではすでに開口部１３１から古い遊技盤１が取り外されており、また、裏面構成部材１６０は、前面枠本体１３０の裏面側に表示ユニット１７０が臨む状態とされているとともに、演出制御基板３３を収納するボックス３３ａは後方に回動した状態とされているものとする。
【００９９】
図１０（ａ）に示すように、遊技盤１を前面枠本体１３０の開口部１３１に取り付ける際には、まず、開口部１３１の一側部に設けられた上下２つの係止部材１３４の先端部を遊技盤１に形成された各係止受部１８に入れるように、遊技領域１ａが形成された面を前側にして遊技盤１を開口部１３１の前側から開口部１３１に対して斜めに挿入する。なお、係止受部１８の遊技盤の側端部側に形成された側壁１８ａは、他の部分の側壁に比べ低く形成されており、係止部材１３４の先端部を係止受部１８に入れやすくなっている。
【０１００】
次に、係止部材１３４の先端部と係止受部１８の接点を軸として、遊技盤１を遊技機１００の後方側へ回動させながら開口部１３１に嵌め込む。この過程においては、係止受部１８の遊技盤１の側端部側に形成された側壁１８ａが、係止部材１３４の先端部と係合するので、係止部材１３４が係止受部１８から外れることなく容易に遊技盤１を回動させることができる。
【０１０１】
係止部材１３４はこの過程において、初めは先端部が前側に移動するように弾性変形し、遊技盤１を後方向へ付勢した状態となる。そして遊技盤１を回動させるのに伴い、弾性変形した状態から徐々に元の状態に戻ることとなる。しかし、上述したように、遊技盤１の係止受部１８が形成された部分の厚みは、係止部材１３４の先端部と規制壁１３３との間隔より厚いため、遊技盤１が開口部１３１に完全に嵌め込まれた状態では、係止部材１３４の先端部が係止受部１８を後方向に押圧した状態となる。すなわち、係止部材１３４は、常に遊技盤１を後方向に付勢した状態となる。
【０１０２】
また、遊技盤裏面側の側端部であって、係止受部１８が形成された側の側端部は、遊技盤１を回動させる過程において、上述のように係止部材１３４によって後方向に付勢されることにより、規制壁１３３の前面に当接しながら、遊技機１００の左右方向に沿って開口部１３１の外側方向へ移動する。そして、この側端部に連続する遊技盤１の側面が、位置決め部材１３６の側面に当接したところで、この側端部の遊技盤１の左右方向に沿った移動が規制されるとともに、規制壁１３３の前面が遊技盤１の裏面と接した状態となって、遊技盤１が開口部１３１に完全に収容された状態となる。
【０１０３】
また、反対側の側端部となる遊技盤裏面側の側端部であって、固定部材受部１９が形成された側の側端部は、遊技盤１を回動させる過程において位置決め部材１３６の斜辺に当接し、この斜辺に沿って開口部１３１の内側方向へ案内される。さらに遊技盤１の側端部は、斜辺に沿って斜辺の開口部１３１内側の端部まで案内されると、この斜辺に連続する位置決め部材１３６の側面に沿って遊技機１００の後方側へ案内される。そして、規制壁１３３の前面に遊技盤１の裏面が接したところで後方向への移動が規制されるとともに、この側端部に連続する遊技盤１の側面が、位置決め部材１３６の側端部に当接するようになって遊技盤１が開口部１３１に完全に収容された状態となる。
【０１０４】
また、遊技盤１の後方に突出する前面構成部材１１の後端部１６は、遊技盤１を回動させる過程において、裏面構成部材１６０に設けられた表示ユニット１７０の前面に当接し、表示ユニット１７０に取り付けられた付勢部材としての引張コイルばね１８２の付勢力に抗して表示ユニット１７０を後方向へ押し込むこととなる。このとき遊技盤１は、係止部材１３４が当接した部分を軸として回動するので、前面構成部材１１の後端部１６のうち、この軸に近い側の後端部１６が先に表示ユニット１７０に当接する。表示ユニット１７０は、上述したように表示ユニット収納部１６８内で傾斜した状態となることが可能であり、前面構成部材１１の後端部１６が当接した側が後方向に押し込まれるように傾斜した状態で表示ユニット１７０自体が後方向へ移動する。
【０１０５】
前面構成部材１１の後端部１６は、遊技盤１の回動に伴い徐々に遊技機１００の左右方向に沿うようになり、遊技盤１が開口部１３１に完全に収容された状態では、遊技盤１の左右方向に平行な状態となる。また、表示ユニット１７０の傾斜も、この前面構成部材１１の後端部１６の状態に追従して徐々に遊技機１００の左右方向に沿うようになる。そして、遊技盤１が開口部１３１に完全に収容された状態では、前面構成部材１１の後端部１６に表示ユニット１７０の前面が面接触し、遊技盤１の左右方向に平行な状態となる。なお、遊技盤１を回動させる過程の当初は、前面構成部材１１の後端部１６の傾きが表示ユニット１７０の傾斜可能な範囲より大きく、前面構成部材１１の後端部１６の一部が当接した状態となるが、遊技盤１の回動に伴い、前面構成部材１１の後端部１６の傾きが表示ユニット１７０の傾斜可能な範囲内になると、これ以降は前面構成部材１１の後端部１６に表示ユニット１７０の前面が面接触した状態となる。
【０１０６】
図１０（ｂ）に示すように、遊技盤１が開口部１３１に完全に嵌め込まれたら、上下の固定部材１３５の固定部１３５ｂを固定部材受部１９に当接するように回動させ遊技盤１を開口部１３１内に固定する。
遊技盤１が完全に開口部１３１に嵌め込まれた状態においては、遊技盤１の裏面側に規制壁１３３が当接し、係止部材１３４が係止受部１８を後方向に押圧することと、固定部材１３５が固定部材受部１９に当接することで遊技盤１の前後方向の移動が規制される。また、位置決め部材１３６の側端部が遊技盤１の側端部に接することで、遊技盤１の左右方向の移動が規制される。また、表示ユニット１７０は、付勢部材（引張コイルばね１８２）によって前側に付勢されているので、前面が前面構成部材１１の後端部１６に密着した状態で保持される。そして、前面構成部材１１により形成される表示用窓部１２を介して、遊技盤１の前面から画像表示面１７１を見ることができるようになる。
【０１０７】
遊技盤１を開口部１３１に取り付けた後、遊技機１００の裏面側において、遊技盤１に設けられた第１制御回路としての演出ＲＯＭ基板３２と、裏面構成部材１６０に設けられた第２制御回路としての演出制御基板３３との接続を行う。この接続作業は、上述したように、演出制御基板３３が収容されたボックス３３ａを回路取付凹部２０３に収容するように、遊技機１００の前方向へ回動させて両基板のコネクタを接続し、固定部材３３ｄにより固定することで完了する。さらに、この他にも各基板や装置を配線により接続する。
以上で遊技盤１の取付作業が完了する。なお、遊技盤１を取り外すときは、上述の作業と逆の作業を行えばよい。
【０１０８】
遊技盤１の交換後、遊技機１００の電源を投入すると初期設定として、表示ユニット１７０の画像表示面１７１における画像表示領域１７１ａの更新が行われるようになっている。この画像表示領域１７１ａの更新とは、例えば、図１２（ａ）（ｂ）に示すように、遊技盤１の交換によって変更された表示用窓部１２の大きさに合わせて、画像表示領域１７１ａを変更することである。
遊技盤１に取り付けられた演出ＲＯＭ基板３２には、該遊技盤１に取り付けられている前面構成部材１１に形成された表示用窓部１２の位置や大きさなどに関する情報が記憶されている。そして、演出制御基板３３において、この情報に基づいて新たな表示用窓部１２に対応する画像表示領域１７１ａが設定されるようになっている。
【０１０９】
以上のように遊技盤１を交換可能であることで、容易に遊技機１００の遊技内容を変更することができる。また、この交換の際には、機種に依存する部材だけが交換されることとなるので、複数の機種で共通使用可能な部材を効率よく再利用できる。なお、遊技機の入れ替え時に遊技機全体を交換する場合には、裏面構成部材１６０を前面枠本体１３０から取り外し、新しい遊技機の前面枠本体に取り付けることで再利用することができる。
【０１１０】
なお、本実施形態の遊技機１００では、画像表示面１７１の大きさを遊技盤１の上側略半分を覆う程度の大きさとしたが、本発明はこれに限られるものではない。例えば、本実施形態のように、画像表示面１７１が遊技盤１における障害釘が植設される部位に延在するようにするものとしても、遊技盤裏面における基板の配設位置や、裏面構成部材１６０の構成を変更して、より大きな表示ユニット１７０を配設できるようにし、画像表示面１７１が遊技盤１と略同等の面積となるようにしても良い。すなわち、画像表示面１７１の大きさが、表示用窓部１２の大きさが変化しても、それに対応できる大きさに設定されていれば良い。
【０１１１】
また、演出ＲＯＭ基板３２に画像表示領域１７１ａの大きさが予め設定されていて、遊技盤１を交換した際に、新たな表示用窓部１２に対応した画像表示が行えるようにしているが、演出制御基板３３に画像表示領域１７１ａの大きさを調整する調整装置（ディップスイッチ等）を設けて、新たな遊技盤１の表示用窓部１２に対応して画像表示領域１７１ａの大きさを調整するようにしてもよい。
また、演出制御基板３３に画像表示領域の左右方向および上下方向の位置を調整（微調整）する調整部材を備え、遊技盤１の装着後、画像表示領域１７１ａの位置を表示用窓部１２に合うように調整できるようにしてもよい。
【０１１２】
また、前面構成部材１１の縁部（表示用窓部１２の周囲）であって、表示ユニット１７０によって裏面側が覆われる部分にレンズ部材を設け、表示ユニット１７０におけるレンズ部材の裏面側に対応した部位を発光させることで、前面構成部材１１の縁部を発光装飾するようにしてもよい。このようにすることで、ランプ等を備える必要がなくなり、遊技機の構成を簡略化することができる。
また、前面構成部材１１の縁部に、遊技領域１ａを流下する遊技球を受け入れるワープ入口と、該受け入れた遊技球を下方に流下させるワープ通路と、該ワープ通路を流下した遊技球を前面構成部材１１の下部に形成されるステージ１５に遊技球を導出するワープ出口とからなるワープ装置を備え、該ワープ装置の裏面側の全部、或いは一部も表示ユニット１７０で覆うようにして、表示ユニット１７０におけるレンズ部材の裏面側に対応した部位を発光させることで、ワープ装置を発光装飾するようにしてもよい。
【０１１３】
また、裏面構成部材１６０の所要部（背面部、側面部）に表示ユニット収納部１６８と外部とに連通する開口部を設け、該開口部に冷却ファンを設けて、表示ユニット収納部１６８の空気を外部に排出できるようにして、表示ユニット１７０或いは遊技盤１の電気的装置の過熱を防止するようにしてもよい。
また、裏面構成部材１６０に、表示ゲームを演出するメカ式の演出物とそれを駆動する駆動源（例えば、モータやソレノイド）を配設し、前面構成部材１１に形成された開口部から演出物を出没可能に構成してもよい。
【０１１４】
以上のような第１の実施形態にかかる遊技機は、遊技領域１ａを形成する遊技盤１を前面枠１２０（前面枠本体１３０）に対して着脱可能に配設し、該遊技盤１の表示用窓部１２において遊技に関わる表示ゲームを表示するようにした遊技機１００であって、遊技盤１は、障害釘が植設される木製の遊技盤本体１０と、該遊技盤本体１０に形成された表示用開口部１３に対応して取り付けられて表示用窓部１２を区画形成する前面構成部材１１と、を含み、表示ゲームを表示する表示ユニット１７０を前面枠１２０における遊技盤１の裏面側に配設し、表示ユニット１７０は、画像表示面１７１の面積が少なくとも表示用窓部１２よりも広くなるように構成して、遊技盤１を交換した際に、新たな遊技盤１の表示用窓部１２に対応した画像表示に変更可能としている。
【０１１５】
従って、遊技盤１を前面枠１２０に対して着脱可能に配設するとともに、表示ユニット１７０を前面枠１２０における遊技盤１の裏面側に配設し、遊技盤１を交換した際に新たな遊技盤１の表示用窓部１２に対応した画像表示に変更可能としたことで、遊技盤を交換する場合でも、表示ユニット１７０は交換する必要がないので、表示ユニット１７０を新たな遊技盤１でも使用できるといった効果を奏する。
また、遊技機の入れ替え時に遊技機１００全体を交換する場合でも、表示ユニット１７０は遊技盤１と別構成であって、表示ユニット１７０を簡単に取り外せることから、表示ユニット１７０を再利用する際にも効果的である。
また、表示ユニット１７０の画像表示面１７１の範囲内であれば、各種の面積を有する表示用窓部１２を形成した遊技盤１を入れ替えることが可能であり、新たな遊技盤１の表示用窓部１２に応じた表示を行うことが可能である。
【０１１６】
また、遊技盤１は木製であるので、障害釘の保持力も十分であるし障害釘の調整に関してもなんら問題ない。さらに、裏面側の流路が透けて見えてしまい装飾効果が低下してしまうこともない。
また、入賞口も所望の位置に形成することができ、多種多彩な遊技盤を交換することが可能となる。
【０１１７】
また、前面枠１２０（前面枠本体１３０）における遊技盤１の後方側に、表示ユニット１７０を配設するための裏面構成部材１６０を設け、裏面構成部材１６０は、表示ユニット１７０を遊技盤裏面から後方側に離隔した位置に配設可能に構成している。
【０１１８】
従って、前面枠１２０における遊技盤１の後方側に、表示ユニット１７０を配設するための裏面構成部材１６０を設け、裏面構成部材１６０は、表示ユニット１７０を遊技盤裏面から後方側に離隔した位置に配設したので、遊技盤１の裏面に後方側へ突出した部材が形成されていても何ら問題なく遊技盤１を装着できる。
特に、前面構成部材１１は、表示領域前面側に奥行きを形成したり、ステージ１５を形成したり、或いは、ワープ装置を備えたりするので、比較的大きく後方側に突出することとなるが、このような形状でも何ら問題なく遊技盤１を装着することができる。
そして、このような前面構成部材１１を有する遊技盤１を装着可能なことで、入賞口も所望の位置に形成することができ、多種多彩な遊技盤１を交換することが可能となる。
【０１１９】
また、裏面構成部材１６０は、遊技球の排出を行う排出装置１９０と、排出する遊技球を一時貯留する貯留タンク１９２とを配設している。
【０１２０】
従って、裏面構成部材１６０には、遊技球の排出を行う排出装置１９０と、排出する遊技球を一時貯留する貯留タンク１９２とが配設されているので、各種裏機構体を効率よく遊技機１００の裏面側に配設することが可能となる。また、表示ユニット１７０と共に共通的に使用できる機構体を裏面構成部材１６０でユニットとして構成でき、遊技機１００の組み立て作業を簡略化することができるとともに生産性を向上することができる。
【０１２１】
また、前面枠１２０（前面枠本体１３０）における遊技盤１の後方側に、表示ユニット１７０を配設するための裏面構成部材１６０を設け、裏面構成部材１６０は、遊技盤１を装着した際に、当該遊技盤１の後方側所定部位が臨む開口部２０２を形成し、表示ユニット１７０を制御する制御回路を、機種に依存する第１制御回路（演出ＲＯＭ基板３２）と、複数の機種で共通使用可能な第２制御回路（演出制御基板３３）とに分離構成し、第１制御回路を遊技盤裏面側における開口部２０２に臨む部位に配設する一方、第２制御回路を裏面構成部材１６０における該開口部２０２の縁部に配設することで、遊技盤１を前面枠１２０に装着した際に、第１制御回路と第２制御回路を直接接続可能に構成している。
【０１２２】
従って、機種に依存する第１制御回路（演出ＲＯＭ基板３２）を遊技盤裏面側における開口部２０２に臨む部位に配設し、共通使用可能な第２制御回路（演出制御基板３３）を裏面構成部材１６０における開口部２０２の縁部に配設したことで、遊技盤１の交換時に、共通に使用できる制御回路を残して再使用でき、無駄を省くことが可能となる。
また、第１制御回路と第２制御回路を直接接続可能に構成したことで、遊技盤装着時に、第１制御回路と第２制御回路との電気的な接続を簡略化することができ、その接続作業も容易となる。また、配線を省略できるので、遊技機１００の裏面側での配線処理が不要となる。
【０１２３】
次に、この発明の第２の実施形態について図１３を参照して説明する。
なお、本実施形態の遊技機１００は、基本的には第１の実施形態の遊技機１００と略同じ構成を有しており、以下、主に第１の実施形態の遊技機１００と相違する部分について説明する。
【０１２４】
本実施形態の遊技機１００の遊技盤１には、表示ユニット１７０の画像表示面１７１が配されている部分に、前面構成部材１１とは別に補助表示部構成部材２１０が設けられている。この補助表示部構成部材２１０は、筒状の部材であって、筒状の空間が延在する方向が遊技盤１の前後方向に沿うように、遊技盤１に形成された補助表示部用開口部２１１に挿入された状態で取り付けられている。なお、補助表示部用開口部２１１は、補助表示部構成部材２１０の断面形状に合わせて形成されている。補助表示部構成部材２１０の後部は、遊技盤１の裏面よりも後方に突出しており、その後端面２１２には、表示ユニット１７０の前面が接するように配される。また、遊技盤１の後方に突出する補助表示部構成部材２１０の後端面２１２の前後位置は、前面構成部材１１の後端部１６と同じ前後位置まで突出している。
【０１２５】
補助表示部構成部材２１０の前側の開口部には、光を透過可能な材質からなるとともに装飾画が描かれたセル２１３が取り付けられている。なお、セル２１３は装飾画が描かれていても、ある程度の光を透過可能とされている。また、補助表示部構成部材２１０の後側の開口部には、レンズ部材２１４が取り付けられている。そして、表示ユニット１７０の画像表示面１７１は、補助表示部構成部材２１０が配される領域において、例えば、白色の表示をするように制御される。
【０１２６】
このような構成を有することで、画像表示面１７１の補助表示部構成部材２１０が配される領域から発せられた光が、レンズ部材２１４によって集光または散乱された後、セル２１３を透過して遊技機１００の前面側で視認可能となる。すなわち、遊技盤１の前面側から見ると、セル２１３の部分が光っているように見え、遊技盤前面における装飾発光表示となる。よって、ランプやＬＥＤなどの発光部材を配設することなく遊技領域１ａにおける光による装飾を行うことができ、遊技盤１の構成を簡略化することができる。
【０１２７】
以上のことから、表示ユニット１７０は、表示用窓部１２とは離隔した領域において表示ゲームとは異なる遊技盤前面での表示を行うこととなる。
【０１２８】
なお、装飾画が描かれたセル２１３としては、例えば、遊技機１００で用いているキャラクタなどに関連する絵や模様が描かれたものの他、単に一色で塗られたものも含む。すなわち、上述のような構成によって、セル２１３に描かれた装飾画を目立つように光らせるだけでなく、遊技盤面を装飾するランプやＬＥＤの代わりとしても利用できる。また、セル２１３を透明もしくは白色の半透明として、画像表示面１７１での表示色を変更させることで、多色の発光が可能な発光部材として利用できるようにしてもよい。
【０１２９】
また、レンズ部材２１４を設けずに透明なセル２１３を取り付け、画像表示面１７１での表示を遊技盤１の前面側から視認可能となるように構成してもよい。このような構成とすれば、例えば、普図変動表示ゲームの結果を表示する普図表示器や、特図変動表示ゲームの結果を表示する特図表示器（この場合は、表示用窓部１２で行われる表示は、特図変動表示ゲームを演出する演出表示となる）として、図柄の表示やいわゆる７セグのような表示を行うようにすることができる。また、その他にも遊技に関する情報（例えば、特図、普図の始動記憶表示）などの表示を行うようにすることもできる。これにより、普図表示器や特図表示器などを遊技盤１に設ける必要がなく、遊技盤１の構成を簡略化できる。
【０１３０】
以上のような第２の実施形態にかかる遊技機１００においては、表示ユニット１７０は、表示用窓部１２とは離隔した領域において表示ゲームとは異なる遊技盤前面での表示を行うようにしている。
【０１３１】
従って、表示ユニット１７０は表示用窓部１２とは隔離した領域で遊技盤１における表示ゲームとは異なる表示が可能であるので、多種多彩な遊技盤１の交換に対応することが可能となる。また、遊技盤１に表示ゲームとは異なる表示を行う装置を設ける必要がないので、構成を簡略化できるとともに、コストを削減できる。
【０１３２】
次に、この発明の第３の実施形態について図１４を参照して説明する。
なお、本実施形態の遊技機１００は、基本的には第１の実施形態の遊技機１００と略同じ構成を有しており、以下、主に第１の実施形態の遊技機１００と相違する部分について説明する。
本実施形態の遊技機１００は、遊技盤１の前面から表示用窓部１２を介して視認可能な画像表示面１７１が、斜め上方を向くように配されて、遊技者にとって見やすくなるようになっている。
【０１３３】
上述したように、表示ユニット１７０は表示ユニット収納部１６８内で前後方向に移動可能となっている。また、その移動の仕方は、遊技盤１に対して画像表示面１７１が平行な状態で前後方向に移動可能であるだけでなく、遊技盤１に対して画像表示面１７１が非平行に傾斜した状態となるように、表示ユニット１７０の一側部だけが前後方向に移動する（表示ユニット収納部１６８内で表示ユニット１７０が揺動する）ことも可能となっている。また、表示ユニット収納部１６８と表示ユニット１７０の対向する各角部は、引張コイルばね１８２を介して連結され、表示ユニット１７０の四隅がそれぞれ独立して表示ユニット収納部１６８の前端側方向へ付勢されるようになっている。
【０１３４】
そして、本実施形態の遊技機１００における前面構成部材１１の後端部１６は、下端部が上端部より前側に位置するように形成され、斜め上方向を向いている。なお、遊技盤１を遊技機１００に取り付けた状態において、この後端部１６の下端部および上端部は、表示ユニット１７０の前後方向に沿った移動範囲内に収まる位置に配されるようになっている。また、この後端部１６の傾斜角度は、表示ユニット１７０の傾斜可能な角度の範囲に収まるような角度となっている。
【０１３５】
このように、前面構成部材１１の後端部１６が斜め上方向を向いていることと、表示ユニット１７０の四隅に設けられた引張コイルばね１８２が、それぞれ独立して伸縮可能であることで、表示ユニット１７０の画像表示面１７１が斜め上方向を向くように配することができる。すなわち、斜め上方向を向いた前面構成部材１１の後端部１６によって表示ユニット１７０の前方向への移動が規制される際に、表示ユニット１７０の下側の両角部に設けられた引張コイルばね１８２が、上側の両角部に設けられた引張コイルばね１８２よりも退縮し、表示ユニット１７０の前面が前面構成部材１１の後端部１６に密着して傾斜した状態となる。これによって、画像表示面１７１が斜め上方向を向いて配されるようになる。
【０１３６】
なお、表示ユニット１７０は上方向だけでなく、下方向、左右方向のいずれか一方に傾斜可能である。よって、前面構成部材１１の後端部１６の傾斜方向を変えれば、画像表示面１７１の向きを斜め下方向や斜め左、斜め右方向に変更できる。すなわち、この表示ユニット１７０は、前面構成部材１１の後端部１６の傾斜方向に合わせてその後端部１６に密着するように画像表示面１７１を配設することができ、多種の遊技盤１を装着可能となっている。
【０１３７】
以上のような第３の実施形態にかかる遊技機１００においては、表示ユニット１７０は、前後に移動可能であって前方側に付勢された状態で前面枠１２０（前面枠本体１３０）側に配設されるとともに、遊技盤１を前面枠１２０に装着した際に前面構成部材１１の後端部１６と当該表示ユニット１７０の表面が当接可能に設けられ、前面構成部材１１の後端部１６は、遊技領域面とは非平行状態で何れか一方側に傾斜して形成されて、遊技盤１を前面枠１２０に装着した際に、表示ユニット１７０が該前面構成部材１１の後端部１６に対応して傾斜した状態に変更するようにしている。
【０１３８】
従って、表示ユニット１７０は、前後に移動可能であって前方側に付勢された状態で配設されていることで、前面構成部材１１の後端部１６の形状に対応して表示ユニット１７０が移動するので、確実に前面構成部材１１の後端部１６に面接触することができる。よって、遊技盤１の交換によって前面構成部材１１の形状が変更されても対応することができ、多種の遊技盤１を装着可能となる。また、表示ユニット１７０の表示方向が、遊技者にとって見やすい方向（例えば、斜め上方向）となるように構成された遊技盤１にも対応できる。
【０１３９】
なお、本発明の遊技機は、遊技機として、第１から第３の実施形態に示されるようなパチンコ遊技機に限られるものではなく、例えば、その他のパチンコ遊技機、アレンジボール遊技機、雀球遊技機などの遊技球を使用する全ての遊技機に適用可能である。
【０１４０】
また、今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【０１４１】
【図１】本発明を適用した第１の実施形態にかかる遊技機の前面側を示す斜視図である。
【図２】図１の状態からガラス枠を開放し、遊技盤を取り外した状態を示す遊技機の前面側を示す斜視図である。
【図３】第１の実施形態にかかる遊技機の裏面側を示す斜視図である。
【図４】機枠を取り外した遊技機の裏面側を示す斜視図であって、延出制御基板が収納されたボックスを回動させた状態を示す図である。
【図５】図３の状態から裏面構成部材を回動させた状態を示す遊技機の裏面側を示す斜視図である。
【図６】第１の実施形態にかかる遊技機の前面枠本体と裏面構成部材の裏面側を示す斜視図である。
【図７】第１の実施形態にかかる遊技機の裏面構成部材の前面側を示す斜視図である。
【図８】図７に示す裏面構成部材の前面側を示す斜視図であって、表示ユニットを取り外した状態を示す図である。
【図９】第１の実施形態にかかる遊技機の裏面構成部材の裏面側から見た分解斜視図である。
【図１０】第１の実施形態にかかる遊技機の上部断面図であって、（ａ）遊技機に遊技盤を取り付ける途中を示す図、（ｂ）遊技機に遊技盤を取り付けた状態を示す図である。
【図１１】第１の実施形態にかかる遊技機の制御系を示すブロック図である。
【図１２】第１の実施形態にかかる遊技機の画像表示面における画像表示領域と表示用窓部の関係を示す図である。
【図１３】第２の実施形態にかかる遊技機の上部断面図である。
【図１４】第３の実施形態にかかる遊技機の側部断面図である。
【符号の説明】
【０１４２】
１      遊技盤
１ａ    遊技領域
１０    遊技盤本体
１１    前面構成部材
１２    表示用窓部
１３    表示用開口部
１６    後端部
３０    主制御基板（主制御回路）
３２    演出ＲＯＭ基板（第１制御回路）
３３    演出制御基板（第２制御回路）
１００  遊技機
１２０  前面枠
１３０  前面枠本体
１３１  開口部
１６０  裏面構成部材
１６８  表示ユニット収納部
１７０  表示ユニット
１７１  画像表示面
１８２  引張コイルばね（付勢部材）
１９０  排出装置
１９２  貯留タンク
２０２  開口部
２１０  補助表示部構成部材
【図１】
2006187459.tif 000003
【図２】
2006187459.tif 000004
【図３】
2006187459.tif 000005
【図４】
2006187459.tif 000006
【図５】
2006187459.tif 000007
【図６】
2006187459.tif 000008
【図７】
2006187459.tif 000009
【図８】
2006187459.tif 000010
【図９】
2006187459.tif 000011
【図１０】
2006187459.tif 000012
【図１１】
2006187459.tif 000013
【図１２】
2006187459.tif 000014
【図１３】
2006187459.tif 000015
【図１４】
2006187459.tif 000016